【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】
映像情報を記録媒体に記録する映像記録方法であって、前記映像情報を前記記録媒体に記録する際に、確認を行なわないように設定するサブステップと、リトライを行なわないように設定するサブステップと、自動欠陥交換機能を行なわないように設定するサブステップの少なくともいずれか１つを実行するステップを有することを特徴とする映像記録方法。
【請求項２】
映像情報を記録媒体に記録し、記録した前記映像情報を再生する映像記録再生方法であって、前記映像情報を前記記録媒体に記録する際に、確認を行なわないように設定するサブステップと、リトライを行なわないように設定するサブステップと、自動欠陥交換機能を行なわないように設定するサブステップの少なくともいずれか１つを実行するステップと、前記ステップにより記録した映像情報を前記記録媒体からフレーム毎に読み出してモニタに表示する際に、読み出しエラーとなったフレームが発生しても当該フレームの再読み出しは行わず、前記読み出しエラーとなったフレームはモニタに表示せずに、１つ前のフレームの映像情報をそのままモニタに表示し続けるステップを有することを特徴とする映像記録再生方法。
【請求項３】
映像情報を記録媒体に記録する映像記録方法であって、ＯＳによって前記記録媒体に確保された記憶領域のうち、書き込みの際のエラー訂正符号を付加する単位で扱える記憶領域のみを選定する記憶領域選定ステップと、前記ステップにより選定した記憶領域に対して、前記エラー訂正符号を付加する単位の１単位又は複数単位の記憶領域毎に１又は複数フレームの映像情報を書き込む映像情報書き込みステップを有することを特徴とする映像記録方法。
【請求項４】
請求項３記載の映像記録方法において、前記記憶領域選定ステップは、前記確保された記憶領域内に複数存在する物理的に連続した領域の各領域について、前記誤り訂正符号を付加する単位の倍数による切り上げ処理により始点セクタを算出し、前記誤り訂正符号を付加する単位の倍数による切り下げ処理により終点セクタを算出することを特徴とする映像記録方法。
【請求項５】
請求項３記載の映像記録方法において、前記記憶領域選定ステップは、OSにより前記記録媒体に前記映像情報を記録するための所定のサイズの記録領域を予め確保することにより、随時の書き込み処理の際には領域確保処理を発生させないことを含むことを特徴とする映像記録方法。
【請求項６】
映像情報を記録媒体に記録する映像記録装置であって、映像情報を前記記録媒体に記録する際に、確認を行わないように設定する手段と、リトライを行わないように設定する手段と、自動欠陥交換機能を行わないように設定する手段の少なくともいずれか１つを有する映像記録制御部を備えることを特徴とする映像記録装置。
【請求項７】
映像情報を記録媒体に記録し、記録した前記映像情報を再生する映像記録再生装置であって、前記映像情報を前記記録媒体に記録する際に、確認を行わないように設定する手段と、リトライを行わないように設定する手段と、自動欠陥交換機能を行わないように設定する手段との少なくともいずれか１つを有する映像記録制御部と、前記映像記録制御部により記録した映像情報を前記記録媒体からフレーム毎に読み出してモニタに表示する際に、読み出しエラーとなったフレームが発生しても当該フレームの再読み出しは行わず、前記読み出しエラーとなったフレームはモニタに表示せずに、１つ前のフレームの映像情報をそのままモニタに表示し続ける映像再生制御部とを備えることを特徴とする映像記録再生装置。
【請求項８】
映像情報を記録媒体に記録する映像記録装置は、OSによって前記記録媒体に確保された記憶領域のうち、書き込みの際の誤り訂正符号を付加する単位で扱える記憶領域のみを選定する記憶領域選定手段と、前記選定した記憶領域に対して、前記誤り訂正符号を付加する単位の１単位又は複数単位の記憶領域毎に１又は複数フレームの映像情報を書き込む映像情報書き込み手段とを備えることを特徴とする映像記録装置。
【請求項９】
請求項８記載の映像記録装置において、前記記憶領域選定手段は、前記確保された記憶領域内に複数存在する物理的に連続した領域の各領域について、前記誤り訂正符号を付加する単位の倍数による切り上げ処理により始点セクタを算出し、前記誤り訂正符号を付加する単位の倍数による切り下げ処理により終点セクタを算出することを特徴とする映像記録装置。
【請求項１０】
請求項８記載の映像記録装置において、前記記憶領域選定手段は、ＯＳにより前記記録媒体に前記映像情報を記録するための所定のサイズの記録領域を予め確保することにより、随時の書き込み処理の際には領域確保処理を発生させないことを含むことを特徴とする映像記録装置。
【手続補正２】
【補正対象書類名】明細書
【補正対象項目名】０００４
【補正方法】変更
【補正の内容】
【０００４】
【課題を解決するための手段】
上記の目的を達成するために、本発明は、映像情報を記録媒体に記録する映像記録方法であって、前記映像情報を前記記録媒体に記録する際に、確認を行なわないように設定するサブステップと、リトライを行なわないように設定するサブステップと、自動欠陥交換機能を行なわないように設定するサブステップの少なくともいずれか１つを実行するステップを有する。
また、本発明は、映像情報を記録媒体に記録し、記録した前記映像情報を再生する映像記録再生方法であって、前記映像情報を前記記録媒体に記録する際に、確認を行なわないように設定するサブステップと、リトライを行なわないように設定するサブステップと、自動欠陥交換機能を行なわないように設定するサブステップの少なくともいずれか１つを実行するステップと、前記ステップにより記録した映像情報を前記記録媒体からフレーム毎に読み出してモニタに表示する際に、読み出しエラーとなったフレームが発生しても当該フレームの再読み出しは行わず、前記読み出しエラーとなったフレームはモニタに表示せずに、１つ前のフレームの映像情報をそのままモニタに表示し続けるステップを有する。
また、本発明は、映像情報を記録媒体に記録する映像記録方法であって、ＯＳによって前記記録媒体に確保された記憶領域のうち、書き込みの際のエラー訂正符号を付加する単位で扱える記憶領域のみを選定する記憶領域選定ステップと、前記ステップにより選定した記憶領域に対して、前記エラー訂正符号を付加する単位の１単位又は複数単位の記憶領域毎に１又は複数フレームの映像情報を書き込む映像情報書き込みステップを有する。
更に、本発明は、映像情報を記録媒体に記録する映像記録装置であって、映像情報を前記記録媒体に記録する際に、確認を行わないように設定する手段と、リトライを行わないように設定する手段と、自動欠陥交換機能を行わないように設定する手段の少なくともいずれか１つを有する映像記録制御部を備える。
また、本発明は、映像情報を記録媒体に記録し、記録した前記映像情報を再生する映像記録再生装置であって、前記映像情報を前記記録媒体に記録する際に、確認を行わないように設定する手段と、リトライを行わないように設定する手段と、自動欠陥交換機能を行わないように設定する手段との少なくともいずれか１つを有する映像記録制御部と、前記映像記録制御部により記録した映像情報を前記記録媒体からフレーム毎に読み出してモニタに表示する際に、読み出しエラーとなったフレームが発生しても当該フレームの再読み出しは行わず、前記読み出しエラーとなったフレームはモニタに表示せずに、１つ前のフレームの映像情報をそのままモニタに表示し続ける映像再生制御部とを備える。
また、本発明は、映像情報を記録媒体に記録する映像記録装置は、OSによって前記記録媒体に確保された記憶領域のうち、書き込みの際の誤り訂正符号を付加する単位で扱える記憶領域のみを選定する記憶領域選定手段と、前記選定した記憶領域に対して、前記誤り訂正符号を付加する単位の１単位又は複数単位の記憶領域毎に１又は複数フレームの映像情報を書き込む映像情報書き込み手段とを備える。